(57)【要約】自動又は半自動外部除細動器（ＡＥＤ）には、複数の電源が設けられている。ＡＥＤは、電気徐細動ショックを発生する回路に電力を供給する第１電源と、他の回路に電力を供給する第２電源とを有している。ＡＥＤに低電力を必要とすることに関して分離した電源を含めることにより、この低電力電源が含まれていない場合よりも高電力電源は、典型的にその寿命が延びる。このことは、メンテナンスのコストを軽減し、特に、低電力電源の取り替えよりも高電力電源がより高価である場合、メンテナンスのコストを軽減する。さらに、低電力電源が落ちた場合であっても、ＡＥＤがさらに制御可能となるので、低電力電源へのバックアップとして高電力電源を使用してもよい。【特許請求の範囲】
【請求項１】
除細動ショックを発生する回路に電力を供給する第１電源；及び
前記回路とは別の他の回路に電力を供給する第２電源；
を有する、自動又は半自動外部除細動器。
【請求項２】
前記電源の一つが交換可能であることを特徴とする請求項１に記載の除細動器。
【請求項３】
前記電源の一つが再充電可能であることを特徴とする請求項１に記載の除細動器。
【請求項４】
前記電源の一つが少なくとも一つのバッテリーを有していることを特徴とする請求項１に記載の除細動器。
【請求項５】
前記第１電源が、少なくとも一つのリチウムバッテリーを有していることを特徴とする請求項１に記載の除細動器。
【請求項６】
前記第２電源が、少なくとも一つのアルカリバッテリーを有していることを特徴とする請求項１に記載の除細動器。
【請求項７】
マイクロプロセッサーをさらに有し、且つ
前記第２電源は、前記マイクロプロセッサーに電力を供給している、
ことを特徴とする請求項１に記載の除細動器。
【請求項８】
前記第１電源に対するバックアップをさらに有し、且つ、
該バックアップは、前記第１電源が所定レベルに落ち込んだ際、除細動ショックを発生する回路に接続される、
ことを特徴とする請求項１に記載の除細動器。
【請求項９】
前記第１電源は、前記第２電源の電力レベルが所定レベル以下に落ち込んだ際、前記第２電源により電力を供給されている前記の他の回路に接続されることを特徴とする請求項１に記載の除細動器。
【請求項１０】
ＡＥＤ；及び
除細動ショックを発生する回路に電力を供給する第１電源と、前記回路とは別の他の回路に電力を供給する第２電源とを有する電源；
を有し、
前記電源は、前記ＡＥＤに取り外し可能に接続されるように配置されている、
ことを特徴とする、自動又は半自動外部除細動器。
【請求項１１】
除細動ショックを発生する回路に電力を供給する第１電源；及び
前記回路とは別の他の回路に電力を供給する第２電源；
を有する、自動又は半自動外部除細動器用電源。
【請求項１２】
前記ＡＥＤに取り外し可能に導入されるように配置されていることを特徴とする請求項１１に記載の電源。
【請求項１３】
前記ＡＥＤにより取り外し可能に導入されるように配置されているカセットに導入されていることを特徴とする請求項１１に記載の電源。
【請求項１４】
ＡＥＤ；
前記ＡＥＤに取り外し可能で結合可能で、且つ、除細動ショックを発生する回路に電力を供給するように動作可能な、第１電源；
前記ＡＥＤに取り外し可能で結合可能で、且つ、内部分を有するカートリッジハウジングを有している保存カートリッジ；及び
前記ハウジングの前記内部分内に配置され、他の回路に電力を供給するように動作可能な、第２電源；
を有する、自動又は半自動外部除細動器。
【請求項１５】
前記ＡＥＤの取り外し可能で結合可能な前記第１電源に対するバックアップをさらに有し、且つ、
前記のバックアップの電源は、前記第１電源が所定レベル以下に落ち込んだ際、除細動ショックを発生する回路に接続されるように配置されている、
ことを特徴とする請求項１４に記載の除細動器。
【請求項１６】
電源により除細動ショックを発生する回路に電力を供給し、且つ、
他の電源により他の回路に電力を供給する、
ことを有する方法。
【請求項１７】
前記電源の一つは、取り替え可能バッテリーを有していることを特徴とする請求項１６に記載の方法。
【請求項１８】
除細動ショックを発生する回路に電力を供給する手段；及び
他の回路に電力を供給する手段；
を有する、自動又は半自動外部除細動器。
【発明の詳細な説明】
【技術分野】
【０００１】
本発明は、一般に電子機器に係り、特に、複数の電源ソースを有する自動又は半自動の外部除細動器（ＡＥＤ）に関する。例えば、このＡＥＤは、ＡＥＤのショック生成回路に電力を供給すべく一つの電源ソースを使用し、且つ、ＡＥＤの処理回路を動作すべく別の電源ソースを使用する。
【背景技術】
【０００２】
突発的な心停止（Ｓｕｄｄｅｎ  ｃａｒｄｉａｃ  ａｒｒｅｓｔ；ＳＣＡ）は、北米において死をもたらす原因の一つである。しかしながら、この程度の他の健康上の問題とは異なり、ＳＣＡは処置可能である。多くのケースのＳＣＡに関する処置は、除細動器を用いた迅速な処置であって、この装置は、重篤な心拍の心臓にショックを与え、通常の健常な心拍へと戻すことを可能とする。科学及び工業では、安全で効果的な処置を提供する自動又は半自動の外部除細動器（全体として、ＡＥＤと参照される）を開発しており、医療上の訓練を受けていない個人でも使用するのに十分に自動化されている。ＡＥＤは、ＳＣＡの罹患者にこの処置を急速に提供するように、社会全体に分散された非病院組織へと配置されてもよい。例えば、ＡＥＤは、現在、診療所、オフィス、工場、空港、飛行機、健康クラブ及びゴルフコースなど広範な場所に設置されている。
【０００３】
ＡＥＤは、携帯可能なバッテリー動作された装置であって、患者の心拍を分析し、適宜、（自動化された）電気的除細動ショックを適用し、或いはオペレーターに電極パッドを介して患者に（半自動的に）ショックを適用することを指示する。例えば、かかる除細動ショックは、心室細動を患っている患者をしばしば復活させることも可能である。
【０００４】
ＡＥＤは、適切に動作するのに２つの電力レベルを典型的に必要とする。ＡＥＤは、ＡＥＤの使用中、又は使用しないが典型的には日毎の周期的な自己診断中に、除細動ショックを生成する高レベルの電力を必要とし、且つ、マイクロプロセッサーなどの回路を動作するのに低いレベルの電力を必要とする。良好な電力密度（立方センチメートル当たりのワット数）、必要とされる際に高電力パルスの伝達する能力、及び長い保存期間を提供する比較的高価なリチウムバッテリーを使用することで、高電力に関する要求を典型的に達成する。低電力に関する要求も、上記のリチウムバッテリーにより達成することができる。しかしながら、自己診断中にマイクロプロセッサーに電力を供給するのにリチウムバッテリーを使用すると、バッテリーがゆっくり放電するであろうし、これにより、寿命が短くなり、バッテリー交換の間隔が短縮されることによりフィールドのメンテナンスに関する要求性が増す。
【特許文献１】米国特許出願番号第０９／８５２，４３１号明細書
【特許文献２】米国特許第５，８３６，９９３号明細書
【特許文献３】米国特許第５，７３５，８７９号明細書
【特許文献４】米国特許第５，６０７，４５４号明細書
【特許文献５】米国特許第５，８７９，３７４号明細書
【発明の開示】
【発明が解決しようとする課題】
【０００５】
ＡＥＤのショック生成回路に電力を供給すべく一つの電源ソースを使用し、且つ、ＡＥＤの処理回路を動作すべく別の電源ソースを使用するＡＥＤを提供する。
【課題を解決するための手段】
【０００６】
本発明の一実施例において、電気的除細動ショックを生成する回路に電力を与える第１電源と、他の回路に電力を供給するための第２電源とを有するＡＥＤを提供する。ＡＥＤに関して低電力を必要とする分離した電源を含めると、高電力のソースは、低電力の電源が存在しない場合よりも典型的に寿命が長くなる。このことは、メンテナンスコストを軽減し、特に、交換するのに低電力ソースよりも高電力ソースがより高価である場合、軽減される。さらに、低電力ソースが落ちている場合でされ、ＡＥＤを動作することが可能なように、低電力ソースに対するバックアップとして高電力ソースを使用してもよい。
【発明を実施するための最良の形態】
【０００７】
以下に添付した実施例には、新規性を有する本発明の特徴を特に開示する。さらなる目的及び利点とともに本発明は、添付した図面と共にする以下の説明を参照して最も良くに理解できる。複数の図面において、同様の要素は、同様の参照番号を付す。
【０００８】
以下の記述により、当業者には本発明を実施及び使用可能である。これら実施例に関する種々の改変は、当業者に即座に明らかにされ、且つ、ここに示した一般的原則は、添付した請求項により規定された本発明の精神及び範囲から逸脱することなく、他の実施例及び応用例に適用されてもよい。従って、本発明は、ここに示す実施例に限定されることを意図するものではなく、本願に開示した主題及び特徴に一貫した最も広い範囲と一致する。さらに、応用の目的のため、「自己含有型電源」とは、バッテリー、燃料電池、太陽電池などの電源であって、ＡＣ電力部などの主電源に接続することなく電力を提供することが可能である。加えて、「自動又は半自動外部除細動器（ＡＥＤ）」と集約的に参照している。この参照は、外部除細動器のクラスのことであって、この外部除細動器では、特定のユーザーによる操作を行うことなく自動的に除細動ショックが伝達され、或いは、除細動器からの指示又は許可があった時一般的にショック伝達ボタンを押すというユーザーによる半自動な操作により除細動ショックが伝達される。この記載は、代替物であることを意図するものではない。
【０００９】
図１は、本発明の一実施例によるＡＥＤシステム２０の斜視図である。ＡＥＤシステム２０は、除細動ショックを発生するＡＥＤ１２と、このショックを患者に提供する除細動器電極パッド１４ａ及び１４ｂと、電源カセット１５とを有している。電源カセット１５は、電源カセット１５をＡＥＤ１２に挿入した時、ＡＥＤ１２内部において対応する電気接点（図示せず）に接続する電気接点７２を有する。コネクター１６は、除細動器電極パッド１４ａ及び１４ｂをＡＥＤ１２のレセプタクル１８に結合する。典型的に、除細動器電極パッド１４ａ及び１４ｂは、柔軟性つまり柔らかいパッケージ（図示せず）内にシールされており、オペレーター（図示せず）は、除細動器電極パッド１４ａ及び１４ｂにアクセスすべく、これを破り或いは剥がして開く。このパッケージは、水分バリアとして作用し、除細動器電極パッド１４ａ及び１４ｂの保存中、電極パッド接触ゲルが乾燥することを防止する。
【００１０】
電源カセット１５は、ＡＥＤ１２が急速に除細動ショックを発生し伝達するように、比較的高電力のソースを有し、且つ、低電力を要求するＡＥＤ回路に電力を供給する比較的低電力の電源を有している。例えば、この低電力回路は、典型的に、患者を蘇生するように、使用されている間、ＡＥＤ１２の動作を制御し且つＡＥＤ１２が使われていない間周期的に自己診断を実行する、マイクロプロセッサーを有している。例えば、このマイクロプロセッサーは、上記のカセット中の高電力電源及び低電力電源を周期的にチェックし、且つ、取り替える必要のある場合にはアラームを発生する。電源カセット１５は、かかる低電力の動作中ＡＥＤ１２に電力を供給する低電力電源を有しているので、上記の低電力電源よりも典型的により高価な高電力電源は、ＡＥＤに低電力電源が存在しない場合よりもより長く持続する。これにより、電源カセット１５を交換する頻度を少なくし、メンテナンスのコストが軽減される。
【００１１】
ＡＥＤ１２は、オン／オフキースイッチ２２と、オペレーターの指示、心臓の波形又はその他の情報を表示するディスプレイ２４と、可聴式の指示又はその他の情報を提供するスピーカー２６と、ＡＥＤステータスインジケーター２８と、オペレーターが患者にショックを伝達するように押すショックボタン３０とを有している。また、ＡＥＤ１２は、蘇生中発生するオペレーターの声及びその他の可聴な音を記録するためのマイクロフォン３２と、患者のＥＣＧ及び過去の検討におけるＡＥＤの事象を記録しているこれら音を保存するためのデータカード３４とを有している。
【００１２】
さらに図１を参照すると、患者にショックを与えるかどうかを決定する緊急時、オペレーターはＡＥＤ１２を取り出し、導入されていない場合には、電源カセット１５を導入する。次に、オペレーターは、上記の防護パッケージから除細動器電極パッド１４ａ及び１４ｂを取り出し、コネクター１６をレセプタクル１８へと挿入する。その後、オペレーターは、ＡＥＤ１２を活性化すべく、オン／オフキースイッチ２２を「オン」の位置へと入れる。ディスプレイ２４上に指示が表示されるか或いはスピーカー２６を介して「口述」した後、オペレーターは、上記のパッド上及びＡＥＤ１２上の絵に示された個々の位置において、患者の上に除細動器電極パッド１４ａ及び１４ｂを配置する。オペレーターが患者の上に除細動器電極パッド１４ａ及び１４ｂを配置した後、ＡＥＤ１２は、患者がショック性心拍があるかどうかを同定するように患者のＥＣＧを分析する。患者はショック性心拍であるとＡＥＤ１２が同定した場合、患者のショックを伝達すべくショックボタン３０を押し下げるようオペレーターに指示する。逆に、患者はショック性心拍でないとＡＥＤ１２が同定した場合、患者に対して適切な非ショック性処置を検討すべきであるとオペレーターに報告し、オペレーターがショックボタン３０を押し下げた場合であってもＡＥＤ１２が患者にショックを与えないようにショックボタン３０を不活性化する。
【００１３】
ＡＥＤ１２は、緊急時急速に動作するので、周期的に自己診断を実行し、適宜その結果を提供する。例えば、ＡＥＤ１２は、その電力供給を周期的に試験し、且つ、電力電力の力が所定の基準値以下に落ち込んでおりカセットを交換する必要がある場合、警告を発する。このアラームは、ディスプレイ２４、スピーカー２６、ＡＥＤステータスインジケーター２８及び／又はＬＥＤ１６４を用いて提供される。このアラームに反応して、電源カセット１５を交換する。
【００１４】
図２及び３は、二重電源カセット１５を示す斜視図であって、これは、本発明の一実施例に従ってユーザーによるアクセスする必要がない。図２は、カバーを有する電源カセット１５を示し、図３は、カバーが取り除かれた電源カセット１５を示し、二重電源が露出している。図２を参照すると、電源カセット１５は、カセットボディー７１、電気接点７２、高電力電源コンパートメントカバー７８及び低電力電源コンパートメントカバー７９を有する。高電力電源コンパートメントカバー７８及び低電力電源コンパートメントカバー７９は、両方ともカセットボディー７１にシールされている。ユーザーにこの電源を交換する手段は提供されていない。つまり、少なくとも一つの高電力電源又は低電力電源が落ちた場合、電源カセット１５の全体を取り替える。
【００１５】
図３は、図２の二重電源カセット１５を示し、高電力電源コンパートメントカバー７８及び低電力電源コンパートメントカバー７９は取り除かれている。電源カセット１５は、バッテリー７５ａ〜ｄとして示された高電力電源７５を収納する高電力電源コンパートメント７４と、バッテリー７７ａ〜ｈとして示された低電力電源７７を収納する低電力電源コンパートメント７６とを含んでいる。一実施例において、高電力電源バッテリー７５ａ〜ｄはリチウムバッテリーであり、低電力電源７７ａ〜ｈは、アルカリバッテリーである。バッテリーとして示しているが、これら電源は、燃料電池など他の電源を含んでもよい。高電力電源バッテリー７５ａ〜ｄは平行に接続されたように示されており且つ低電力電源バッテリー７７ａ〜ｈは順番に接続されたように示されているが、これらバッテリー７５ａ〜ｄ及び７７ａ〜ｈは、ＡＥＤ１２に必要とされる電圧及び電力を伝達する種々の様式で接続されていてもよい。
【００１６】
上述したように、ＡＥＤ１２に二重の電源を提供することは、典型的に、電源カセット１５の寿命を延長することにより、メンテナンスの頻度及び経費を減少させる。例えば、バッテリー７５がリチウムバッテリーであると仮定すると、これらバッテリーによりＡＥＤ１２は２０回未満のショックを伝達する。バッテリー７５が日毎の自己試験中、ＡＥＤ１２に電力を供給するのに使用されているとすると、これらの寿命は約３年である。しかし、これらの自己試験中にＡＥＤ１２に電力を供給するのにバッテリー７７を有することにより、バッテリー７５の寿命は、例えば、一実施例において約５年以上に延長可能である。バッテリー７７が同様の寿命を有すると仮定すると、電源カセット１５の寿命は同様に増加される。また、バッテリー７７がアルカリ又はその他の低コストのバッテリーであると仮定すると、寿命は、カートリッジ１５のコストに比較して若干増加するのみである。
【００１７】
図４は、本発明の一実施例による、図１の電源カセット１５を示し、交換可能な低電力電源を有している。特に、図４の電源カセット１５が図２及び図３の電源カセット１５と異なるところは、低電力バッテリー７７ａ〜ｈの交換を可能とするように低電力電源コンパートメントカバー７９が取り外し可能である点である。必要に応じて比較的低コストのバッテリー７７を交換することが可能であり、高電力バッテリー７５が落ちた場合にのみ電源カセット１５を交換すればよいので、電源カセット１５の寿命を延長する可能性がある。このことは、バッテリー７５が落ちる前に定期的にバッテリー７７が落ちるので、さらに、メンテナンスの頻度及びコストを低減可能である。
【００１８】
図５は、本発明の一実施例による、実用的な電源を有するカセット１５を示す。つまり、電源カセット１５と図４の電源カセット１５と異なるところは、高電力電源と低電力電源とが交換可能である点である。特に、電源カセット１５は、電源コンパートメントカバー９９を有し、バッテリー７５ａ〜ｄとして示した高電力電源７５と低電力バッテリー７７ａ〜ｈとして示した低電力電源７７との双方を取り替えるために取り外し可能に配置される。これは、バッテリー７５のみを交換することを可能にすることにより、且つ、バッテリー７５が落ちた際カセット１５全体を交換する必要がなくなることにより、さらにメンテナンスの頻度及びコストを低減可能となる。
【００１９】
図６は、本発明の一実施例に従ったＡＥＤシステム１００の斜視図であって、高電力電源及び低電力電源の両方が個々にＡＥＤ内部に取り外し可能に導入される。ＡＥＤシステム１００は、二重電源ＡＥＤ１０２を有し、バッテリー１０５として示す高電力電源と、バッテリー１０７で示す低電力電源との両方を個々に取り外し可能に導入されており、カバーを有する電源コンパートメントに内的に含まれている。ＡＥＤシステム１００は、その他、図１と組み合わせて述べたＡＥＤシステム２０の構造及び動作と実質的に同様である。高電力バッテリー１０５は、高電力電源のＡＥＤ１０２を提供しており、除細動ショックを発生する回路に電力する。低電力バッテリー１０７は、低電力電源を提供し、除細動ショックを発生する回路の他の回路に電力する。バッテリー１０５及び１０７は、適宜分離して交換可能であるので、ＡＥＤシステム１００は、図５にて上述したように、メンテナンスの頻度及びコストを同様に低減する。
【００２０】
図７は、本発明の一実施例に従ったＡＥＤシステムに関する斜視図であって、内部高電力電源と、低い電源を有するパッドカートリッジとを含むＡＥＤを含んでいる。特に、ＡＥＤシステム１１０は、ＡＥＤ１１２と、高電力電源１０５と、パッド／電源カートリッジ４０と、低電力電源１０７とを有している。ＡＥＤシステム１１０は、低電力電源１０７がカートリッジ４０内部に配置され、ＡＥＤ１１２内部には配置されていない点を除いては、図６のＡＥＤシステム１００と同様に配置され且つ実質的に同様に動作する。
【００２１】
パッド／電源カートリッジ４０は、除細動器電極パッド１４ａ及び１４ｂと低電力電源バッテリー１０７とを保管するコンパートメント５０、コンパートメント５０を規定する蓋有りハウジング５２、ハウジング５２がレセプタクル４８内部に配置された際コネクター４６にてメート（ｍａｔｅ）するコネクター５４並びにバッテリー１０７をコネクター５４に接続するリード５６ａ及び５６ｂを有する。明確に図示するため、図９からオン／オフキースイッチ２２及びディスプレイ２４は記載していない。コネクター４６及びレセプタクル４８を収納すべく、オン／オフキースイッチ２２及びディスプレイ２４は、図１のＡＥＤ１２において対応する個々の位置に配置されてもよい。
【００２２】
一実施例において、バッテリー１０７は、亜鉛−炭素、亜鉛−水銀又は亜鉛−マンガン、つまりアルカリバッテリーなどの低コストで配置可能なバッテリーである。かかるバッテリーは、パッド１４ａ及び１４ｂとして同様に適切な寿命を有し、パッドの「温度−劣化率」と同様に、温度にて劣化する。従って、上述したように、パッド１４ａ及び１４ｂを取り替える必要がある場合、バッテリー１０７は、典型的に交換する必要が生じ、この逆もそうである。従って、メンテナンスの頻度は、パッドとバッテリーとを分けて交換するのに代えて、カートリッジ４０の全体を交換することにより、典型的に低減される。さらに、バッテリー１０７は、カートリッジ４０に依存して交換可能であっても交換可能でなくてもよく、一つのバッテリーについて示されているが、カートリッジは、連続又は平行のいずれかの様式にて接続された多重的なバッテリー１０７を保存していてもよい。パッド／電源カートリッジ４０と同様のカートリッジ（バッテリー１０７を除く）は、タイトルが”Ｃａｒｔｒｉｄｇｅ  ｆｏｒ  ｓｔｏｒｉｎｇ  ａｎ  ｅｌｅｃｔｒｏｄｅ  ｐａｄ  ａｎｄ  ｍｅｔｈｏｄｓ  ｆｏｒ  ｕｓｉｎｇ  ａｎｄ  ｍａｋｉｎｇ  ｔｈｅ  ｃａｒｔｒｉｄｇｅ”の特許文献１に述べられており、参考文として本願に取り込む。
【００２３】
図７に示した実施例の動作において、ＡＥＤシステム１１０を保持するフィールドにおいて、単一の部材、つまり、パッド／電源カートリッジ４０を周期的に取り替える。つまり、パッド１４ａ及び１４ｂの実行可能なセット及び低電力電源１０７における十分な荷電レベルを保持すべく、通常の感覚にてパッド／電源カートリッジ４０を交換する。従って、単一の部材を交換する通常のフィールドにおけるメンテナンスを可能とすることにより、ＡＥＤシステム１１０は、比較的維持が簡便である。さらに、上述したように、バッテリー１０７は、バッテリー１０５のコストよりも１／１００のオーダーのコストであるので、パッド／電源カートリッジ４０における低電力電源バッテリー１０７は、ＡＥＤシステム１１０を維持するコストを軽減する。代替的な実施例において、パッド／電源カートリッジ４０の交換は、バッテリー１０７を除いてもよく、メンテナンスを実行する技術者が新たな低電力電源バッテリー１０７の購入及び導入を可能とする。
【００２４】
一実施例において、使用済みであり、或いは、寿命が切れると、パッド１４ａ及び１４ｂの交換が必要となった場合、元のカートリッジをパッド／電源カートリッジ４０に交換する。バッテリー１０７は、パッドの寿命と少なくとも同じ長さの寿命を有する限り、バッテリー１０７が十分な電力を提供する能力が失われる前にパッド／電源カートリッジ４０を典型的に交換する。
【００２５】
他の実施例において、低電力電源バッテリー１０７の交換が必要となった場合、元のカートリッジをパッド／電源カートリッジ４０に交換する。特に、ＡＥＤ１２は、低電力電源バッテリー１０７及び高電力電源バッテリー１０５をモニターし、いずれかの荷電レベルが所定の基準値以下となった場合、通知する。バッド１４ａ及び１４ｂが、低電力電源バッテリー１０７の期待寿命と少なくとも同程度の長さの寿命を有する限り、パッドが期限切れとなる前にパッド／電源カートリッジ４０を典型的に交換する。さらに、上述したように、アルカリバッテリーなど種々のタイプのバッテリーは、バッド１４ａ及び１４ｂを熱に曝露するにつれ劣化するのと同程度の割合で熱に曝露すると劣化する。従って、バッテリー１０７に関してかかるバッテリーを使用することにより、ＡＥＤ１１２は、バッド１４ａ及び１４ｂの熱による劣化に起因して予定されたよりも早くパッド／電源カートリッジ４０を交換する場合には、警告する。
【００２６】
図８は、本発明の実施例に従った、図１及び６乃至７のＡＥＤ１２及び１１２のそれぞれの回路に関する概略的な回路１２０のブロック図である。明確にするため、ブロック図１２０は、ＡＥＤ１２に関して述べるが、この記載は、別に記載せずとも、ＡＥＤ１０２及び１１２に一般的に適用される。
【００２７】
回路１２０は、ゲートアレイ１１６を介して処理ユニット１１４にインターフェース接続するパワーマネージメント回路１２１と、電気的除細動ショック、デリバリー（ｄｅｒｉｖｅｒｙ）、ＥＣＧフロントエンド、を発生するための回路１１８と、電源カセット１５とを有する。サプライ１５内の電源もまた、図６に示したようにＡＥＤ１２に内的に導入されてもよく、或いは、図７に示すように、パッド／電源カートリッジ内に部分的に内的に且つ部分的に導入されてもよい。処理ユニット１１４の制御下、パワーマネージメント回路１２１は、電源カセット１５から他のＡＥＤ１２の回路へと電力を分布させる。加えて、処理ユニット１１４は、パワーマネージメント回路１２１を介して電源カセット１５内の電力供給を横切ってその電圧をモニターし、少なくとも一つの電源が交換する必要があることを示すように、ディスプレイ２４、スピーカー２６、ＡＥＤステータスインジケーター２８、ＬＥＤ１６４又は他の手段を介してアラームを発生する。
【００２８】
また、ＡＥＤ１２は、除細動ショックを発生し且つＥＣＧフロントエンドを動作するための回路１１８を有しており；これは、患者（図示せず）の処置の間、患者が心臓のショック性不整脈となっているかどうかを決定するため、患者のＥＣＧをサンプリングする。処理ユニット１１４は、ゲートアレイ１２５を介して回路１１８からサンプルを受け、これらを分析する。もし、この分析により患者がショック性心拍であることを示した場合には、処理ユニット１１４は、自動的又はオペレーター（図示せず）がショックボタン３０を押した際に半自動的に患者にショックを伝達し得るようにゲートアレイ１２５を介して回路１１８に指示を与える。逆に、上記の分析により、患者がショック性心拍でないことを示した場合には、処理ユニット１１４は、オペレーターがショックボタン３０を押した際に患者にショックを伝達することを回路１１８が阻止することにより、ショックボタン３０を効果的に不活化する。
【００２９】
さらに図８を参照すると、オン／オフキースイッチ２２は、ＡＥＤ１２を「オン」及び「オフ」とする。ゲートアレイ１１６は、パワーマネージメント回路１２１、オン／オフキースイッチ２２、ＡＥＤステータスインジケーター２８、電気的除細動ショック、デリバリー、ＥＣＧフロントエンドを発生する回路１１８、処理ユニット１１４及びゲートアレイ１２５にインターフェース接続する。
【００３０】
また、図１２は、オペレーターに情報を表示するディスプレイ２４と、オペレーターに音響的な指示を提供してもよいスピーカー２６と、オペレーターの音声及びその他の音響音を記録可能なマイクロフォン３２とを含んでいる。データカード３２は、ポート１２２を介してゲートアレイ１２５に接続されており、且つ、患者のＥＣＧや後の検討のためのＡＥＤの事象の記録に沿って、オペレーター及びその他の音声を保存してもよい。ステータスマネージメント回路１２４は、ＡＥＤ１２の他の回路のステータスを処理ユニット１１４に提供する。ＬＥＤ１６４及びＡＥＤステータスインジケーター２８は、処理ユニット１１４が、患者に電気的除細動ショックを発生し伝達することに関して、回路１１８及びＥＣＧフロントエンドを可能とするかどうかや、電源１５が交換を必要としているかなどの情報をオペレーター（図示せず）に提供する。コントラストボタン１２８は、オペレーターにディスプレイ２４のコントラストを制御させることを可能とし、且つ、読み取り専用メモリ１３０などのメモリは、処理ユニット１１４並びに処理ユニット１１４及び１２５のためのプログラミング情報を保存する。
【００３１】
パワーマネージメント回路１２１を導入可能なＡＥＤ１２及び他の同様のＡＥＤ回路は、以下で説明しており、本願に参考文として取り込む：タイトル「Ｅｌｅｃｔｒｏｔｈｅｒａｐｙ  ｄｅｖｉｃｅ  ｃｏｎｔｒｏｌ  ｓｙｓｔｅｍ  ａｎｄ  ｍｅｔｈｏｄ」の特許文献２；タイトル「Ｅｌｅｃｔｒｏｔｈｅｒａｐｙ  ｍｅｔｈｏｄ  ａｎｄ  ａｐｐａｒａｔｕｓ」の特許文献３；タイトル「Ｅｌｅｃｔｒｏｔｈｅｒａｐｙ  ｍｅｔｈｏｄ  ａｎｄ  ａｐｐａｒａｔｕｓ」の特許文献４；及びタイトル「Ｄｅｆｉｂｒｉｌｌａｔｏｒ  ｗｉｔｈ  ｓｅｌｆ−ｔｅｓｔ  ｆｅａｔｕｒｅｓ」の特許文献５である。
【００３２】
図９は、本発明の一実施例による、図８のパワーマネージメント回路１２１及び電源カセット１５の回路部分１７０に関する概略図である。電源カセット１５は、バッテリー７５ａ〜ｄとして示した高電力電源７５と、バッテリー７７ａ〜ｈとして示す低電力電源７７（単一セルとして示している）とを有している。図示するため、ダイオードＤ１〜Ｄ４及びヒューズＦ１〜Ｆ２は、電源カセット１５に含まれているが、代替的に回路部分１７０に含まれていてもよい。図示するため、分割線は図９を分割しているが、機能的な役割を有するわけではない。
【００３３】
ダイオードＤ１〜Ｄ４は、ノードＮ９２０〜Ｎ９２３に接続されたそれぞれのアノードを有する。ダイオードＤ１〜Ｄ３のカソードは、ノードＮ９２４に接続され、Ｄ４のカソードは、ノードＮ９２５に接続される。ヒューズＦ１は、ノードＮ９２４とＮ９０１との間に接続され、ヒューズＦ２は、ノードＮ９２５とＮ９０２との間に接続される。バッテリー７５ａ〜ｄの正極は、それぞれ、ノードＮ９２０〜Ｎ９２３に接続され、負極は、ノードＮ９０５に接続される。バッテリー７７ａ〜ｈ（明確にするため一つのバッテリー７７のみを示している）の負極は、ノードＮ９０５に接続され、正極は、ノードＮ９０３に接続される。
【００３４】
スイッチＳＷＡ〜ＳＷＣの一端は、ノードＮ９１０に接続される。スイッチＳＷＡの他端は、ノード９０１に接続され、スイッチＳＷＢの他端は、ノードＮ９０２に接続され、且つ、スイッチＳＷＣの他端は、ノードＮ９１２に接続される。ダイオードＤ５は、ノードＮ９０３に接続されたアノードを有し、且つ、ノードＮ９１１に接続されたカソードを有する。スイッチＳＷＤは、ノードＮ９１１とＮ９１２との間に接続される。ノードＮ９０５は、ＡＥＤのグループに接続される。図８のショック伝達回路１１８は、ノードＮ９１０に接続される。ショック伝達回路１１８は、除細動ショックを発生し、且つ、ＡＥＤの設計により必要とされる場合、ショックの伝達を含んでもよい。処理ユニット１１４及び他の低電力回路は、ノードＮ９１２に接続され、且つ、除細動ショックを発生する回路以外の回路を含んでいる。
【００３５】
動作時、回路部分１７０は、バッテリー７５にＡＥＤ１２のショック伝達回路１１８（図８）などの高電力回路へと電力し、且つ、バッテリー７７にプロセッサー１１４を含む他の回路へと電力する。特に、ＡＥＤが患者（図示せず）の蘇生に用いられていない間、プロセッサー１１４は、スイッチＳＷＡ、ＳＷＢ及びＳＷＣを開口位置としており、自己診断及びその他の同様の機能を実行すべくバッテリー７７から電力を受ける。これに対する例外は、プロセッサーがバッテリー７５を介する電圧を測定する自己診断の一部の間、このプロセッサーは、バッテリー７５Ａ〜７５Ｃに対する電圧を測定するため一時的にスイッチＳＷＡ及びＳＷＢを閉口し、その後、バッテリー７５Ｄに対する電圧を測定すべく、スイッチＳＷＡを開口し且つスイッチＳＷＢを閉口する。また、プロセッサー１１４は、バッテリー７７に対する電圧を測定する。種々のバッテリーに対するこの電圧が個々に所定の閾値を下回った場合、プロセッサー１１４は、一つ以上のバッテリーの交換が必要であることを告知するため、スピーカー２６、ディスプレイ２４又はＬＥＤ１６４を介してアラームを発生してもよい。さらに、プロセッサー１１４が、バッテリー７７に対する電圧がバッテリー所定の閾値以下に落ちたことを同定した場合、アラームを発すると共に、バッテリー７７が交換されるまでバッテリー７５Ａ〜７５Ｃから電力を受けるようにスイッチＳＷＣ及びＳＷＡを閉口してもよい。このことにより、バッテリー７７が放電された場合であってもＡＥＤ１２が確実に機能する。
【００３６】
ＡＥＤ１１２が患者（図示せず）を蘇生するのに使用されている動作中、プロセッサー１１４及び他の回路は、バッテリー７７から電力を受ける。また、プロセッサー１１４は、除細動ショックの伝達の準備においてショック伝達回路１８の充電を可能とするように、スイッチＳＷＡ、必要であればスイッチＳＷＢを閉口する。一旦回路１１８が充電されると、プロセッサー１１４はスイッチＳＷＡ及びＳＷＢを開口してもよく、或いは、オペレーター（図示せず）が、患者を蘇生するためにＡＥＤ１２の使用を終了するまで、待機していてもよい。
【００３７】
特定の好適実施例を説明して本発明を詳細に述べてきたが、他の実施例も実行可能である。従って、添付した請求項の精神及び範囲は、本願に開示した実施例の記述に限定されるものであってはならない。本発明は、添付した請求項を包含することを意図する。
【図面の簡単な説明】
【００３８】
【図１】本発明の一実施例によるＡＥＤシステムに関する斜視図である。
【図２】本発明の一実施例によるユーザーアクセスのない二重ソースカセットを示す斜視図である。
【図３】二重電源を隠すカバーを取り除かれた二重ソースカセットを示す図２に関する斜視図である。
【図４】本発明の一実施例による実用的な低電力電源を伴った二重電源カセットを示す斜視図である。
【図５】本発明の一実施例による実用的な低電力及び高電力電源を伴った二重電源カセットを示す。
【図６】本発明の一実施例による、高電力電源及び低電力電源が個々に取り外し可能に導入されたＡＥＤシステムを示す斜視図である。
【図７】本発明の一実施例による、内部高電力電源と、低電力電源及び電極パッドを含むパッドカートリッジとを有するＡＥＤを含むＡＥＤシステムを示す斜視図である。
【図８】本発明の実施例による、図１、６及び７のＡＥＤの回路に関する概略的なブロック図である。
【図９】本発明の一実施例による図８の電力管理回路の一部に関する概略図である。
【図１】
2005520651.tif 000002
【図２】
2005520651.tif 000003
【図３】
2005520651.tif 000004
【図４】
2005520651.tif 000005
【図５】
2005520651.tif 000006
【図６】
2005520651.tif 000007
【図７】
2005520651.tif 000008
【図８】
2005520651.tif 000009
【図９】
2005520651.tif 000010